(57)【要約】      （修正有）【課題】二重立体効果を有し、立体化されて緊密に着用者の顔部に密着するマスクの提供。【解決手段】マスク本体と、二つの耳帯２０或いは縛帯を具え、マスク本体に複数の第１折合わせ部１１と第２折合わせ部１３が設けられ、第１折合わせ部は横向きにマスク本体の左右二側に延伸され、これら第２折合わせ部は縦向きにマスク本体の上下二側に延伸されている。これにより、マスク本体が上下或いは左右方向の延伸性を具え、これにより二重立体効果を具え、マスクが立体化され、緊密に着用者の顔部に密着し、且つ着用者の呼吸を順調に行なわせ、会話に便利とされている。【選択図】図２
0003108909.tif 000002
【実用新案登録請求の範囲】
【請求項１】
マスク本体と、耳帯を具え、
該マスク本体に複数の第１折合わせ部が設けられてこれら第１折合わせ部が横向きにマスク本体の左右二側に延伸され、該マスク本体に別に複数の第２折合わせ部が設けられてこれら第２折合わせ部が縦向きにマスク本体の上下二側に延伸され、
該耳帯は該マスク本体の左右二側に接続されたことを特徴とする、マスク。
【請求項２】
請求項１記載のマスクにおいて、マスク本体の上下及び左右の四側に第１固定部が形成され、並びに左右二側の第１固定部が第１折合わせ部の二端を固定し、且つ併せて二つの耳帯がこの左右二側の第１固定部に固定されたことを特徴とする、マスク。
【請求項３】
請求項１記載のマスクにおいて、マスク本体の上下二側の第２折合わせ部の二端に対応する部分に第２固定部が設けられ、これら第２固定部により第２折合わせ部の二端が固定されたことを特徴とする、マスク。
【請求項４】
請求項１記載のマスクにおいて、マスク本体の上端近くにフレキシブルな鼻部調整條が設けられたことを特徴とする、マスク。
【請求項５】
請求項１記載のマスクにおいて、耳帯の代わりに縛帯が設けられたことを特徴とする、マスク。
【考案の詳細な説明】
【技術分野】
【０００１】
本考案は一種のマスクに係り、特に、二重立体効果を有し、立体化されて緊密に着用者の顔部に密着するマスクに関する。
【背景技術】
【０００２】
マスクの機能は呼吸システム内外の空気を分離し、外界空気中の有害物の人体への進入を防止するか、或いは吐出する空気中の有害物が外界空気に影響を与えるのを防止することにあり、それはマスクの濾過効果により達成される。
【０００３】
異なる需要により、異なるマスクの設計があり、一般によく目にされるのは使い捨てマスクであり、それはろ材が直接面体形状に形成され、ろ材面体と着用者顔部が接触、フィットするものとされ、使い捨てマスクの価格は安く、使用が簡単で、購入に便利であるため、ますます重視されている。
【０００４】
図１は周知の使い捨てマスクであり、それは、マスク本体８０と二つの耳帯９０を具え、マスク本体８０は略長方形を呈し、ろ材で形成され、その面積は着用者の鼻部と口部を被覆できるものとされる。該二つの耳帯９０は該マスク本体８０の二側に接続され、二つの耳帯９０により着用者の耳に掛けられ、マスク本体８０が着用者の鼻部、口部を被覆する。
【０００５】
一般に使い捨てマスクはほとんどが平面型に形成され、且ついずれも耳朶にマスクの耳帯９０を固定する。顔の円弧は非平面であるため、このようなマスクの漏洩は相当に厳重である。このため使い捨てマスクのマスク本体８０に複数の折合わせ部８１が設けられ、これら折合わせ部８１が横向きにマスク本体８０の二側に延伸され、これによりマスク本体８０が伸展性を具備して、着用者の顔部に対応する立体円弧面形状を形成して、着用者の顔部に接合するものとされている。
【０００６】
しかし上述の周知のマスクの構造は、マスク本体８０に横向きに延伸された複数の折合わせ部８１が設けられているだけで、このためマスク本体８０がただ上下方向の引き伸ばししかできず、このため立体効果は依然として有限であり、更に緊密に着用者の顔部に接合することはできず、呼吸が局部に集中し、会話時に口部に接触して不便を形成し、且つ漏洩の情況を有効に改善できない。
【０００７】
ゆえに、上述の周知のマスクは、実際の使用上、依然として不便と欠点があり、改善が待たれている。
【考案の開示】
【考案が解決しようとする課題】
【０００８】
本考案の主要な目的は、一種のマスクを提供することにあり、それは、マスク本体が上下方向と左右方向の引き伸ばしの伸展性を具え、二重立体効果を具備してマスクが更に立体化され、良好な立体効果を有して、緊密に着用者の顔部に接合し、着用者の呼吸を順調とし、会話に便利で、並びに有効に漏洩情況の発生を防止できるものとする。
【課題を解決するための手段】
【０００９】
請求項１の考案は、マスク本体と、耳帯を具え、
該マスク本体に複数の第１折合わせ部が設けられてこれら第１折合わせ部が横向きにマスク本体の左右二側に延伸され、該マスク本体に別に複数の第２折合わせ部が設けられてこれら第２折合わせ部が縦向きにマスク本体の上下二側に延伸され、
該耳帯は該マスク本体の左右二側に接続されたことを特徴とする、マスクとしている。
請求項２の考案は、請求項１記載のマスクにおいて、マスク本体の上下及び左右の四側に第１固定部が形成され、並びに左右二側の第１固定部が第１折合わせ部の二端を固定し、且つ併せて二つの耳帯がこの左右二側の第１固定部に固定されたことを特徴とする、マスクとしている。
請求項３の考案は、請求項１記載のマスクにおいて、マスク本体の上下二側の第２折合わせ部の二端に対応する部分に第２固定部が設けられ、これら第２固定部により第２折合わせ部の二端が固定されたことを特徴とする、マスクとしている。
請求項４の考案は、請求項１記載のマスクにおいて、マスク本体の上端近くにフレキシブルな鼻部調整條が設けられたことを特徴とする、マスクとしている。
請求項５の考案は、請求項１記載のマスクにおいて、耳帯の代わりに縛帯が設けられたことを特徴とする、マスクとしている。
【考案の効果】
【００１０】
本考案のマスクは、マスク本体と、二つの耳帯を具え、マスク本体に複数の第１折合わせ部と第２折合わせ部が設けられ、第１折合わせ部は横向きにマスク本体の左右二側に延伸され、これら第２折合わせ部は縦向きにマスク本体の上下二側に延伸されている。これにより、マスク本体が上下或いは左右方向の延伸性を具え、これにより二重立体効果を具え、マスクが立体化され、緊密に着用者の顔部に密着し、且つ着用者の呼吸を順調に行なわせ、会話に便利とされている。
【考案を実施するための最良の形態】
【００１１】
図２、３に示されるように、本考案のマスクは、マスク本体１０と二つの耳帯２０を具え、該マスク本体１０は略長方形を呈し、それは多層ろ材で形成され、その面積は着用者の鼻部と口部を被覆できるものとされる。
【００１２】
該マスク本体１０には複数の第１折合わせ部１１が設けられ、該第１折合わせ部１１は横向きにマスク本体１０の左右二側に延伸され、並びに該マスク本体１０の上下、及び左右の四側に熱圧接合或いは縫合等の方式で第１固定部１２が形成され、該左右二側の第１固定部１２を利用してこれら第１折合わせ部１１の二端が固定され、且つ併せて二つの耳帯２０が左右二側の第１固定部１２に固定されて、二つの耳帯２０がそれぞれマスク本体１０の左右二側に固定され、二つの耳帯２０が着用者の耳に掛けられて、マスク本体１０が着用者の鼻部と口部を被覆する。
【００１３】
該マスク本体１０には別に複数の第２折合わせ部１３が設けられ、本実施例では２本の第２折合わせ部１３が設けられ、これら第２折合わせ部１３は縦向きにマスク本体１０の上下二側に延伸され、並びにマスク本体１０の上下二側の、第２折合わせ部１３の二端に対応する部分に、熱圧接合或いは縫合等の方式で複数の第２固定部１４が形成され、これら第２固定部１４を利用してこれら第２折合わせ部１３の二端が固定される。
【００１４】
また、本考案はマスク本体１０の上端近くの部分にフレキシブルな鼻部調整條１５が設けられ、マスク着用時に、該鼻部調整條１５が適宜湾曲させられることで、マスク本体１０上端が着用者の顔部輪郭に密着し、空隙を形成せず、これによりマスクの密封性が高められる。以上により本考案のマスクが形成される。
【００１５】
本考案はマスク本体１０に横向きに延伸された第１折合わせ部１１が設けられてマスク本体１０が上下方向に引き伸ばされる伸展性を具備し、且つマスク本体１０に縦向きに延伸された第２折合わせ部１３が設けられて、マスク本体１０が左右方向に引き伸ばされる伸展性を具え、これにより本考案のマスク本体１０は二重立体効果を有し、マスクが更に立体化され、良好な立体効果を具備し、緊密に着用者の顔部に密着し（図４）、有効に漏洩現象を防止し、且つ着用者の呼吸を順調とし、会話に便利である。
【００１６】
更に本考案のマスクは簡単な構造設計を利用し、良好な立体化効果を達成しており、コスト節約の効果を具備し、その優れた性能を明らかとすることができる。
【００１７】
総合すると、本考案は優れた実用性と産業上の利用性、新規性及び進歩性を具え、実用新案登録の要件を具備している。なお、以上の実施例は本考案の範囲を限定するものではなく、それに基づきなしうる細部の修飾或いは改変は、いずれも本考案の請求範囲に属するものとする。
【図面の簡単な説明】
【００１８】
【図１】周知のマスクの平面図である。
【図２】本考案のマスクの立体図である。
【図３】本考案のマスクの平面図である。
【図４】本考案のマスクの使用状態表示図である。
【符号の説明】
【００１９】
８０  マスク本体
８１  折合わせ部
９０  耳帯
１０  マスク本体
１１  第１折合わせ部          １２  第１固定部
１３  第２折合わせ部          １４  第２固定部
５  鼻部調整條
２０  耳帯
【図１】
0003108909.tif 000003
【図２】
0003108909.tif 000004
【図３】
0003108909.tif 000005
【図４】
0003108909.tif 000006